Podtech/llm-jp-corpus-v4-ja_patent huggingface dataset:
(57)【要約】【課題】樹脂製のブロックを配設した槽は槽の上部に存在する覆土の重量によりクリープ現象を起こし、長期使用の際十分な鉛直強度が保たれないおそれがある。その心配を解消する槽の鉛直強度を高める技術の提供にある。【解決手段】本発明は、地下に、上下に組立て可能でかつ垂直なガイド孔を有するブロックを槽の底部に配設し、前記ガイド孔に柱部材を挿入して槽の支柱とし、柱部材に天井部材を載置し天井部を形成し、外周辺のブロックを囲むように壁部材を配設して壁部を形成することで雨水等の貯留空間を形成し、当該貯留空間をシートで包んだ雨水等の貯留槽である。柱部材で鉛直強度を確保するため、樹脂製のブロックのクリープ現象を考慮する必要がない。 【選択図】図1
2016050423.tif 000002
【特許請求の範囲】
【請求項１】
地下に、上下に組立て可能でかつ垂直なガイド孔を有するブロックを槽の底部に配設し、前記ガイド孔に柱部材を挿入して槽の支柱とし、柱部材に天井部材を載置し天井部を形成し、外周辺のブロックを囲むように壁部材を配設して壁部を形成することで雨水等の貯留空間を形成し、当該貯留空間をシートで包んだ雨水等の貯留槽。
【発明の詳細な説明】
【技術分野】
【０００１】
本発明は、雨水流出抑制用の貯留槽などに使用可能な新規な槽構成技術に属する。
【背景技術】
【０００２】
一時的に雨水を貯留し、徐々に流出させる雨水流出抑制施設を構成する槽として、地下に樹脂製あるいは金属製の滞水材を配設して、貯留空間を形成し、その周囲をシートで包んだ槽構造が普及している。また、特開２００８−２８０７７５には帯水材を間隔をあけて配設することで貯留空間を形成する方法も提案されている。
【先行技術文献】
【特許文献】
【０００３】
【特許文献１】特開２００８−２８０７７５
【発明の開示】
【発明が解決しようとする課題】
【０００４】
樹脂製のブロックを配設した槽は槽の上部に存在する覆土の重量によりクリープ現象を起こし、長期使用の際十分な鉛直強度が保たれないおそれがある。その心配を解消する槽の鉛直強度を高める技術の提供にある。
【課題を解決するための手段】
【０００５】
本発明は、地下に、上下に組立て可能でかつ垂直なガイド孔を有するブロックを槽の底部に配設し、前記ガイド孔に柱部材を挿入して槽の支柱とし、柱部材に天井部材を載置し天井部を形成し、外周辺のブロックを囲むように壁部材を配設して壁部を形成することで雨水等の貯留空間を形成し、当該貯留空間をシートで包んだ雨水等の貯留槽である。
柱部材で鉛直強度を確保するため、樹脂製のブロックを使用してもクリープ現象を考慮する必要がない。
【発明の効果】
【０００６】
本発明は、上下に組立て可能でかつ垂直なガイド孔を有するブロックを槽の底部に配設し、前記ガイド孔に柱部材を挿入して槽の支柱とし、柱部材に天井部材を載置し天井部を形成し、槽の上部から掛る埋戻土などによる荷重を柱部材で受けるようにしたため、ブロックのクリープ強度を考慮する必要がない。クリープを無視できる金属あるいはコンクリート製の柱部材を使用することで樹脂製の耐水剤を用いる際の、樹脂のクリープを考慮する必要がない。
【図面の簡単な説明】
【０００７】
【図１】は、本発明にかかわるブロックの配置とブロックに形成されたガイド孔を示す。
【図２】は、ガイド孔に柱部材を挿入し、天井部、壁部とからなる貯留空間の断面を示す。
【図３】は、ブロックの上面に溝を設け板材をはめ込み水平強度を高める手段を示す概念図である。
【図４】は、ブロックの例を示す。
【図５】は、本発明を適用した水槽の概念図である。
【発明を実施するための形態】
【０００８】
以下、本発明を図により詳細に説明する。図１ａは柱部材を挿入するガイド孔を有するブロックを槽の底部に配置した平面図を示す。図１ｂはその断面図である。
予定する槽の側面およびその内部にブロックを配置し、且つ上方に積み上げる。
図1に示す通り、ガイド孔は垂直になるよう配置される。ブロックは隙間なく充填は位置する必要はなく必要な強度が得られる支柱の数、配置となるようにすればよい。
【０００９】
図２は、図１ｂ断面図に、ガイド孔に柱部材を挿入し、その柱部材で天井部の荷重を支える状態を示している。柱部材はガイド孔により垂直に立てられ、上部の天井部およびその上の埋戻土による荷重を支えている。柱部材は金属、コンクリートその他、荷重を支えるに足る強度を有する材質、形状であればよい。
【００１０】
図３は、ブロックの上面に十字状の溝を設け、その溝に格子状に水平荷重対応板材をはめ込み、槽に掛る水平荷重を壁材とともに支えるようにした状態を示している。ブロックが槽内に隙間なく充填されていない場合でも壁材と合わせ水平土圧、地下水圧に対抗できるようにするための手段である。
【００１１】
図４は、本発明に使用するブロックの例を示している。
ブロックは、立方体あるいは直方体の空洞で側面に孔部を有するものか、図に示すような盤体部に脚部を設けたブロックを図に示すように脚部を対向させて接続したものを使用することでもよい。上下に配置した状態で自立し、柱部をを挿入するガイド穴が垂直となるよう設けることができる形状であれば一つのブロックであっても組み合わせてブロックとなるものでもよい。
材質は樹脂、コンクリート、金属など水中で安定に存在するものであればよい。
【産業上の利用可能性】
【００１２】
図５に示すよう、雨水の流出抑制用に使用される一時的貯留を目的とする槽、汚染水などの貯留槽として使用される。
【符号の説明】
【００１３】
１  ブロック
２  ガイド孔
３  柱部材
４  天井部
５  壁部
６  水平荷重対応板材
【図１】
2016050423.tif 000003
【図２】
2016050423.tif 000004
【図３】
2016050423.tif 000005
【図４】
2016050423.tif 000006
【図５】
2016050423.tif 000007
(57)【要約】【課題】雨水流出抑制用の貯留槽構築などに使用されるブロック相互間の接続をより強固にするための新規なオスメス継手の提供にある。【解決手段】本発明は、雨水流出抑制施設などを構築する帯水材として使用されるブロックを相互に接続するためのオスメス継手であって、オス継手の先端挿入部は、メス継手の入り口挿入孔より大きく形成され、かつ挿入時に収縮可能とされ、メス継手内部は入り口挿入孔より大きく形成されたブロックのオスメス継手である。【選択図】図1
2016050453.tif 000002
【特許請求の範囲】
【請求項１】
雨水流出抑制施設などを構築する帯水材として使用されるブロックを相互に接続するためのオスメス継手であって、オス継手の先端挿入部は、メス継手の入り口挿入孔より大きく形成され、かつ挿入時に収縮可能とされ、メス継手内部は入り口挿入孔より大きく形成されたブロックのオスメス継手。
【発明の詳細な説明】
【技術分野】
【０００１】
本発明は、雨水流出抑制用の貯留槽構築などに使用されるブロック相互間を接続する新規なオスメス継手技術に属する。
【背景技術】
【０００２】
一時的に雨水を貯留し、徐々に流出させる雨水流出抑制施設を構築する滞水材としてには平板状の平盤部に脚部を設けた熱可塑性樹脂を射出成形して製造されたブロックとして特開平１０−２５２１０８にはテーブル状部材が特開平９−１１２７９２には容器状部材が開示されている。
これらのブロック同士の接続は板材の表面に突出するオス継手でブロックに設けたメス継手で接続するあるいはブロックに設けたオスメス継手を用いて相互に接続している。これら継手はオス継手は棒状で有りメス継ぎ手は孔状で、その接続強度は必ずしも高くない。
【先行技術文献】
【特許文献】
【０００３】
【特許文献１】特開平１０−２５２１０８
【特許文献２】特開平９−１１２７９２
【発明の開示】
【発明が解決しようとする課題】
【０００４】
雨水流出抑制用の貯留槽構築などに使用されるブロック相互間の接続をより強固にするための新規なオスメス継手の提供にある。
【課題を解決するための手段】
【０００５】
本発明は、雨水流出抑制施設などを構築する帯水材として使用されるブロックを相互に接続するためのオスメス継手であって、オス継手の先端挿入部は、メス継手の入り口挿入孔より大きく形成され、かつ挿入時に収縮可能とされ、メス継手内部は入り口挿入孔より大きく形成されたブロックのオスメス継手である。
継手間の接続強度を高めるためオスメス継手のオス継手の先端挿入部をメス継手に挿入する際、収縮するようにし、挿入後は元の大きさに戻るようにした。
【発明の効果】
【０００６】
本発明はオス継手の先端挿入部は、メス継手の入り口挿入孔より大きく形成され、かつ挿入時に収縮可能とし、メス継手内部は入り口挿入孔より大きく形成したため、メス継手部内に挿入するときオス継手挿入部は収縮してメス継手内に挿入され、メス継手内部は入り口挿入孔より大きく形成されたため、挿入後は元の大きさに戻るため抜け難く、継手強度が向上する。
【図面の簡単な説明】
【０００７】
【図１】は、本発明のオスメス継手の例を示す概念図である。
【図２】は、本発明のオス継手の第１の例を示す概念図である。
【図３】は、本発明のオス継手の第２の例を示す概念図である。
【図４】は、帯水材に設けたメス継手の例を示す。
【図５】は、帯水材に設けたオスメス継手の例と接続方法を示す。
【図６】は、帯水材を用いた雨水等の一時貯留槽の概念図を示す。
【図７】は、帯水材の例を示す。
【発明を実施するための形態】
【０００８】
以下、本発明を図により詳細に説明する。
図1に示す例は、帯水材を相互に接続するためのオスメス継手でありオス継手は平盤と平盤に設けた突部から構成され、メス継手は耐水材に設けられた孔部である。
オス継手の先端挿入部は、メス継手挿入孔よりより大きく膨らんでいる。
【０００９】
オス継手の先端挿入部は収縮可能とされているが、その手段を例を挙げて説明する。
その第１は、図２に示すように先端挿入部の膨張部分に縦方向に切り込みを設け、分割する。挿入時に分割された部分が互いに接近することで収縮可能とする。
その第２は、図３に示すようにオス継手挿入部を筒状とし、上記切り込み部にあたる部分の肉厚を薄くし、挿入時に撓ますことで肉厚の厚い部分を互いに接近させて収縮可能とする。第１の例においてもオス継手の挿入部を筒状とすることができる。
【００１０】
図４は、帯水材に設けたメス継手である。図４ａはテーブル状のブロックの例であり、図４ｂは容器状ブロックの例である。
メス継手羽帯水材盤部に設けた孔である。挿入孔はオス継手の膨張させたオス継手挿入部より小さく形成されており、オス継手挿入部が収縮した状態で挿入可能な大きさに形成されている。メス継手の挿入部の下方は膨張したオス継手の挿入部が元の大きさに戻るとき、収容する大きさの空間があればよい。なお、この空間内でオス継手の挿入部が完全にもとの大きさに戻る必要はない。
【００１１】
図５は、帯水材に設けたオスメス継手の例と接続方法をテーブル状ブロックの例で示している。図５あは接続方法を示し、図５ｂは継手部を拡大した図である。
盤体に脚部を設けたテーブル状の帯水材の脚部同士を接続するために設けた継手である。脚部底面にオス継手を２、メス継手を２を直交するするように設けたものである。接続時には図に示すように一方のテーブル状ブロックを９０度回転させてオスメス継手の位置を合わせて接続する。
図は図２に示すオス継手を示しているが、図３に示すオス継手であっても同じである。容器状ブロックのその底部を対向させて接続する場合も同様である。
【００１２】
従来の帯水材、継手と同様、図６に示すように地下に配列し、シートで包み、泥だめ枡、オリフィス枡、その他必要とする付帯設備と共に雨水等の貯留槽の構築に使用される。帯水材は一般には樹脂製であるが、ステンレススチールなどの金属製であってもよい。
【産業上の利用可能性】
【００１３】
雨水の流出抑制用に使用される一時的貯留、汚染水などの一時貯留、あるいは軽量盛土の芯として使用される。
【符号の説明】
【００１４】
１  平板と平板に設けた突部からなるオス継手
２  オス継手膨張部
３  切込み部
４  薄い肉厚部
５  メス継手
６  帯水材
７  帯水材に設けたオス継手
８  帯水材に設けたメス継手
【図２】
2016050453.tif 000003
【図３】
2016050453.tif 000004
【図７】
2016050453.tif 000005
【図１】
2016050453.tif 000006
【図４】
2016050453.tif 000007
【図５】
2016050453.tif 000008
【図６】
2016050453.tif 000009
(57)【要約】【課題】  地震時に家具転倒等による人的被害を減少させる為、束に硬質ゴムナットを設けたものを提供する。【解決手段】  束（１）に硬質ゴムナット（２）を設けた束を特徴とする。とする。【選択図】図２
2016050469.tif 000002
【特許請求の範囲】
【請求項１】
高さ調整の機能をもった硬質ゴムナットを設けた床下束。
【発明の詳細な説明】
【技術分野】
【０００１】この発明は床下束の高さ調整ナットを硬質ゴムを使用する束に関するものである。
【背景技術】
【０００２】従来束の高さ調整ナットは金物であった。
【先行技術文献】
【特許文献】
【０００３】
【特許文献１】
【発明の概要】
【発明が解決しようとする課題】
【０００４】これは次のような欠点があった。
従来束は防震性がなく家具転倒等につながることが多かった。本発明は以上のような欠点を減少するためになされたものである。
【課題を解決するための手段】
【０００５】束（１）の間に、高さ調整の硬質ゴム（２）を設ける。
本発明は以上の構成よりなる防震束である。
【発明の効果】
【０００６】束に構造上問題のない硬質ゴムナットを設けることにより床への振動が減り、家具・建物の損傷及び人的災害が減少する。
【図面の簡単な説明】
【０００７】
【図１】本発明の平面図である。
【図２】本発明の断面図である。
【発明を実施するための形態】
【０００８】以下本発明を実施するための形態について説明する。
大引きを支持する束（１）に高さ調整の機能を持った硬質ゴムナットを設け、防震とする。
本発明は以上のような構造である。
【符号の説明】
【０００９】１  束
２  高さ調整硬質ゴムナット
【図１】
2016050469.tif 000003
【図２】
2016050469.tif 000004
(57)【要約】【課題】モンモリロナイト含有粘土では乾燥時に亀裂が生じてしまう。【解決手段】モンモリロナイトが含まれる粘土に塩化カルシウムを添加して、含有モンモリロナイトを膨張性の低いＣａ型にすることによって、乾燥時の収縮が可能な限り小さくなって、乾燥時に亀裂が発生しないため、モンモリロナイトが含まれるだけの理由で廃棄処分になっていた粘土を有効利用することで、コスト低減を図ることが出来る。【選択図】なし【特許請求の範囲】
【請求項１】
モンモリロナイトが含まれる粘土に塩化カルシウムを添加したことを特徴とする窯業製品用粘土。
【発明の詳細な説明】
【技術分野】
【０００１】
本発明は、モンモリロナイトが含まれた粘土を、例えば瓦の様な窯業製品用として使用可能にした窯業製品用粘土に関する。
【背景技術】
【０００２】
本願出願人は、三河地域（豊田市、安城市、瀬戸市など）で採掘された各種粘土や水簸粘土から複数種類選択し配合する粘土製造業者であるが、この地域では、採掘環境の悪化により粘土不足が常態化してしまっているので、東濃地域（土岐市、多治見市、瑞浪市など）にまでに求めるしか方策がなくなってきているが、輸送コストの観点から採算がとれない。
【０００３】
そこで、品質が劣る粘土に必要な鉱物を混ぜ込むことで良質な粘土を製造する技術も開発されたが（例えば、特許文献１参照）、この技術は、あくまでも不足成分を補うものでしかない。
【０００４】
又、近隣の他の地域では、知多半島周辺で粘土（以降、知多粘土と称する）が産出されていることは既に知られていたが、この知多粘土を窯業製品に使用すると、乾燥時に亀裂が生じてしまうので、廃棄されているのが現状である。
【０００５】
そこで、知多粘土の成分を分析をした処、モンモリロナイト（Ａｌ2 Ｏ3 ・４ＳｉＯ2 ・ ６Ｈ2 Ｏ）が含まれている以外、良質な粘土との差異はないことが判明した。
このモンモリロナイトは、層状粘土鉱物で、結晶層間にＮａ+ が多く吸着しているＮａ型と、Ｃａ2+が多く吸着しているＣａ型があり、日本ではＮａ型モンモリロナイトが一般的である。
【先行技術文献】
【特許文献】
【０００６】
【特許文献１】特開２００７−２１０８７３号公報
【発明の概要】
【発明が解決しようとする課題】
【０００７】
しかし、Ｎａ型モンモリロナイトは、原体積の８〜１０倍に膨張することもあることから、乾燥前は膨張状態で、乾燥による収縮も大きくなる結果、亀裂が生じてしまうため、Ｎａ型モンモリロナイト含有粘土は窯業製品用としては使用出来ないなど、解決せねばならない課題があった。
【課題を解決するための手段】
【０００８】
本発明は、上記従来技術に基づく、モンモリロナイト含有粘土では乾燥時に亀裂が生じてしまう課題に鑑み、モンモリロナイトが含まれる粘土に塩化カルシウムを添加して、含有モンモリロナイトを膨張性の低いＣａ型にすることによって、乾燥時の収縮を可能な限り小さくする様にして、上記課題を解決する。
【発明の効果】
【０００９】
要するに本発明は、モンモリロナイトが含まれる粘土に塩化カルシウムを添加したので、含有モンモリロナイトが膨張性の低いＣａ型になるため、乾燥時の収縮も小さくなって乾燥時の亀裂発生を防止出来、よって窯業原料としては不適格で廃棄処分されていたモンモリロナイト含有粘土を窯業原料として使用可能にすることが出来、コスト低減化を図ることが出来る等その実用的効果甚だ大である。
【発明を実施するための形態】
【００１０】
本発明に係る窯業製品用粘土は、主に瓦の原料で、モンモリロナイトが含まれる粘土に塩化カルシウム（ＣａＣｌ2 ）を添加したものであり、過剰に添加すると、表面にカルシウムが析出してしまうため、その重量割合は、知多粘土の場合、粘土１００に対し塩化カルシウム０．０２５〜２、望ましくは０．０５〜１としている。
【００１１】
前記モンモリロナイトが含まれる粘土は、１種類の粘土又は多種類の粘土を配合したもので、少なくとも１種をモンモリロナイト含有粘土としている。
【００１２】
モンモリロナイトは、層状粘土鉱物で、結晶層間にＮａ+ が多く吸着しているＮａ型と、Ｃａ2+が多く吸着しているＣａ型があり、日本ではＮａ型モンモリロナイトが一般的であり、このＮａ型モンモリロナイトは、原体積の８〜１０倍に膨張することもあることから、乾燥前は膨張状態で、乾燥による収縮も大きくなる結果、亀裂が生じてしまうと考えられる。
【００１３】
このＮａ型モンモリロナイトは、層間に存在するＮａ+ が他のイオン等と交換可能であり、その容易性は下記不等式の通りである。
Ｌｉ+ ＜Ｎａ+ ＜Ｋ+ ＜Ｍｇ2+＜Ｃａ2+＜Ｂａ2+＜Ａｌ2+＜Ｆｅ2+＜Ｈ+ 
【００１４】
つまり、Ｎａ+ よりＣａ2+の方が置換容易であることから、モンモリロナイト含有粘土に塩化カルシウム（ＣａＣｌ2 ）を添加し配合すると、Ｎａ型モンモリロナイトにおける層間のＮａ+ がＣａ2+に置換されて、膨張性の低いＣａ型モンモリロナイトになるため、亀裂が発生しなくなったものと推測される。
【００１５】
尚、モンモリロナイト含有粘土は、上記知多粘土に限定せず、要するにモンモリロナイトが含有された粘土であれば産地は問わない。
【００１６】
前記粘土に対する前記塩化カルシウムを添加量は、少なすぎれば亀裂が発生し、多すぎれば表面にカルシウムが析出してしまうため、モンモリロナイトの含有量により調整する必要がある。
(57)【要約】【課題】生ゴミを脱水廃棄する時、水切りゴミ袋全体が濾過しやすい素材のため、廃棄時には手が汚れて、尚且つ、汁が垂れて臭うものが多かった。  本発明は、手を汚さず脱水ができて、汁が垂れず、臭わないシンク用水切りゴミ袋を提供する。【解決手段】上開口有底の矩形体形状で、使用時は筒状形態で周壁部はポリエチレン等の防水及び防臭素材にし、片側の周壁部は廃棄時の包装使用の面積を有して、廃棄時までは折り曲げ状態で、底部はメッシュ等の濾過素材にして、上部開口部に廃棄時の結束用の紐を設けたことを特徴とするシンク用水切りゴミ袋。【選択図】図３
2016050115.tif 000002
【特許請求の範囲】
【請求項１】
上開口有底の矩形体形状で、使用時は筒状形態のシンク用水切りゴミ袋。
【請求項２】
筒状周壁部はポリエチレン等の防水及び防臭素材で、底部下に包装使用の面積を有して、廃棄時までは折り曲げ状態の請求項１記載のシンク用水切りゴミ袋。
【請求項３】
ゴミ袋本体の底部はメッシュ等の濾過素材で、上部開口部に結束用の紐を設けた請求項１又は請求項２記載のシンク用水切りゴミ袋。
【発明の詳細な説明】
【技術分野】
【０００１】  本発明は、台所のシンクにおけるゴミ処理用三角コーナーや排水口のゴミ受け容器に用いる水切りゴミ袋に関するものである。
【背景技術】
【０００２】  従来、台所のシンクではゴミ処理用三角コーナーや排水口のゴミ受け容器に用いる水切りゴミ袋は、ゴミ袋全体が濾過しやすい素材であるものが多く使われていた。
又、防水袋を折り込んで側面に取り付けた水切りゴミ袋があった（特許文献１）
【先行技術文献】
【特許文献】
【０００３】
【特許文献１】特開２００５−３２０１５６号公報
【発明の概要】
【発明が解決しようとする課題】
【０００４】  水切りゴミ袋の生ゴミを脱水して廃棄する時、水切りゴミ袋全体が濾過しやすい素材のため、廃棄時には手が汚れて、尚且つ、汁が垂れて臭うものが多かった。
本発明は、以上の問題点を解決するためになされたものである。
【課題を解決するための手段】
【０００５】  水切りゴミ袋本体は、上開口有底の矩形体形態で、使用時は筒状形態になる。【０００６】    水切りゴミ袋本体の筒状周壁部は、ポリエチレン等の防水及び防臭素材で、周壁部の片側は廃棄時の包装使用のため、底部下に包装使用の面積を有して、廃棄時までは折り曲げ状態である。【０００７】水切りゴミ袋本体の底部はメッシュ等の濾過素材にして、上部開口部に廃棄時の結束用の紐を設けた。
以上の構成よりなるシンク用水切りゴミ袋。
【発明の効果】
【０００８】  従来、生ゴミで一杯になった水切りゴミ袋は、全体が濾過しやすい素材のため、廃棄時には手が汚れて、汁が垂れて臭う水切りゴミ袋を、本発明により手を汚さず、汁が垂れず、防臭効果があり、衛生的に回収廃棄することができる。
【図面の簡単な説明】
【０００９】
【図１】  本発明の分解斜視図
【図２】  接着と折り曲げ位置を示す斜視図
【図３】  本発明の斜視図
【図４】  三角コーナー等における本発明の使用状態図
【図５】  シンクにおける本発明の使用説明図
【発明を実施するための形態】
【０００９】  以下、本発明の実施の形態を説明する。
（イ）水切りゴミ袋本体（１０）は上開口有底の矩形体形態で、使用時は筒状形態になり、筒状周壁部（１２）をポリエチレン等の防水及び防臭素材（１）と底部（１５）になる二つ折りしたメッシュ等の濾過素材（２）と廃棄時の包装使用のため汁垂れ予防のポリエチレン等の防水及び防臭素材（１）の部品の倍の大きさの包装用素材（３）から形成され、底部（１５）の下部を除きポリエチレン等の防水及び防臭素材（１）とメッシュ等の濾過素材（２）の上部、及び包装用素材（３）の中央部とメッシュ等の濾過素材（２）の上部や周壁部（１２）を接着部（７）の位置で接着して、上部開口部（８）に廃棄時の結束用の紐（４）を設けた。
（ロ）台所のシンク（１４）のゴミ処理用三角コーナー（９）や排水口（１３）のゴミ受け容器（１１）への設置にあたり、前もって包装用素材（３）を折り曲げ位置（５）より外側に折り曲げ、周壁部（１２）上部に接着した紐（４）を収納して、廃棄時に使用できるよう上部開口部（８）に包装用素材（３）の折り曲げた上部を剥がせる糊（６）で接着する。
本発明は以上のような構造である。
本発明を使用するときは、台所のシンク（１４）のゴミ処理用三角コーナー（９）や排水口（１３）のゴミ受け容器（１１）の中に設置して、余った上部を三角コーナー（９）や排水口のゴミ受け容器（１１）の周縁部（１６）に折り曲げて使用し、ゴミが一杯になった水切りゴミ袋（１０）を三角コーナー（９）や排水口（１３）のゴミ受け容器（１１）より取出し、水切りゴミ袋（１０）の上部を持ち水分を絞り取り、前もって折り曲げ位置（５）より折り曲げ、剥がせる糊（６）で接着してある汁垂れ防止と防臭用の包装用素材（３）を上部開口部（８）より外して、ゴミが一杯の水切りゴミ袋（１０）を包み、上部開口部（８）付属の廃棄時の結束用の紐（４）で絡げ衛生的に回収廃棄することが出来る。
【符号の説明】
【００１０】１  ポリエチレン等の防水及び防臭素材、２  メッシュ等の濾過素材
３  包装用素材、４  紐、５  折り曲げ位置、６  糊、７  接着部
８  上部開口部、９  三角コーナー、１０  水切りゴミ袋、１１  ゴミ受け容器
１２  周壁部、１３  排水口、１４  シンク、１５  底部、１６  周縁部
【図１】
2016050115.tif 000003
【図２】
2016050115.tif 000004
【図３】
2016050115.tif 000005
【図４】
2016050115.tif 000006
【図５】
2016050115.tif 000007